(57)【要約】【課題】本発明は、無線通信モジュールを複数個挿入することにより、音声通信とデータ通信の双方を同時に可能とすると共に、より高速なデータ通信を可能とした移動通信端末に関する。【解決手段】本発明に従った移動通信端末は、無線通信モジュールを複数個備えた移動通信端末であって、該複数個の無線通信モジュールの各々は、送信手段と受信手段と制御手段とインターフェイス手段とを含み、該移動通信端末に着脱可能に挿入され、該インターフェイス手段を介して該移動通信端末と該無線通信モジュールとの間で信号の送受信を行い、該移動通信端末は、第1の無線通信モジュールを使用してデータ通信を行い、該移動通信端末が呼を受信した場合に、第2の無線通信モジュールを使用して該呼に応答する移動通信端末である。【選択図】図５
2008263364.tif 000002
【特許請求の範囲】
【請求項１】
無線通信モジュールを複数個備えた移動通信端末であって、
該複数個の無線通信モジュールの各々は、送信手段と受信手段と制御手段とインターフェイス手段とを含み、該移動通信端末に着脱可能に挿入され、
該インターフェイス手段を介して該移動通信端末と該無線通信モジュールとの間で信号の送受信を行い、
該移動通信端末は、第1の無線通信モジュールを使用してデータ通信を行い、
該移動通信端末が呼を受信した場合に、第2の無線通信モジュールを使用して該呼に応答する移動通信端末。
【請求項２】
無線通信モジュールを複数個備えた移動通信端末であって、
該複数個の無線通信モジュールの各々は、送信手段と受信手段と制御手段とインターフェイス手段とを含み、該移動通信端末に着脱可能に挿入され、
該インターフェイス手段を介して該移動通信端末と該無線通信モジュールとの間で信号の送受信を行い、
該移動通信端末は、第1の無線通信モジュールを使用してデータ通信を行い、
該データ通信に第2の無線通信モジュールをさらに使用し、データ処理能力を増加させることにより、通信速度を増加させる移動通信端末。
【発明の詳細な説明】
【技術分野】
【０００１】
本発明は、無線通信モジュールを複数個挿入することにより、音声通信とデータ通信の双方を同時に可能とすると共に、より高速なデータ通信を可能とした移動通信端末に関する。
【背景技術】
【０００２】
パーソナルコンピュータや携帯情報端末をはじめとする情報処理端末に着脱可能に装着されて使用されるPCカードが開発されている。PCカードとは、小型情報端末に使用できるクレジットカードと同サイズ(85.6mm×54.0mm)の情報メディアで、PC Card Standard (JEIDA/PCMCIA間にて標準化に合意した規格)に準拠したものである。例えば、記憶媒体として利用されるメモリーカードや磁気ディスクなどのHDD(Hard Disc Drive)を備えた補助記憶装置、有線通信に利用されるモデムカード、ISDNカード、有線LANカード、無線通信に利用される無線LANカード、PHSカード等がある。これらのPCカードを使用することによって、携帯情報端末は、使用される状況、環境に応じて柔軟に対応できる。例えば、有線LANが使用できる環境であれば、LANカードを使用し、無線LANの環境の場合には、無線LANカードを使用した通信ができる。
【０００３】
これらのPCカードを改良したもので、1つのカードに複数の信号形式のインターフェイスを提供する無線通信モジュールも存在する(特開2003-5874号公報)。それらの無線通信モジュールは、携帯情報端末に挿入することにより、例えば、データ通信だけでなく、リアルタイム性を確保した良質な音声通話を実現することが可能である。また、1つの結合部を複数の信号形式のインターフェイスで共有するので、経済的で使い勝手の良いインターフェイスが提供できるという効果を有する。
【特許文献１】特開2003-5874号公報
【発明の開示】
【発明が解決しようとする課題】
【０００４】
しかしながら、上記の無線通信モジュールは、それぞれ、固有のアドレスまたは電話番号を持っているため、1つの携帯情報端末について無線通信モジュールを1つのみ割り当てた場合には、複数の機能を同時に実行するのは不可能である。例えば、インターネット等の通信ネットワークを介してデータ通信を行っている際に着呼があった場合には、データ通信を中止して呼に応答するのが通常である。また、1つの携帯情報端末に無線通信モジュールを1つのみ割り当てた場合には、サイズの大きなパケットをダウンロードしようとすると携帯情報端末がフリーズをおこしたりする。
【課題を解決するための手段】
【０００５】
本発明の第1の態様によれば、本発明に従った移動通信端末は、無線通信モジュールを複数個備えた移動通信端末であって、該複数個の無線通信モジュールの各々は、送信手段と受信手段と制御手段とインターフェイス手段とを含み、該移動通信端末に着脱可能に挿入され、該インターフェイス手段を介して該移動通信端末と該無線通信モジュールとの間で信号の送受信を行い、該移動通信端末は、第1の無線通信モジュールを使用してデータ通信を行い、該移動通信端末が呼を受信した場合に、第2の無線通信モジュールを使用して該呼に応答する移動通信端末である。
【０００６】
これにより、従来であれば、データ通信時に呼を受信した場合には、データ通信を中止する必要があったが、本発明の移動通信端末は、データ通信を維持した状態で呼接続を確立することが可能である。
【０００７】
さらに、本発明の第2の態様によれば、本発明の移動通信端末は、無線通信モジュールを複数個備えた移動通信端末であって、該複数個の無線通信モジュールの各々は、送信手段と受信手段と制御手段とインターフェイス手段とを含み、該移動通信端末に着脱可能に挿入され、該インターフェイス手段を介して該移動通信端末と該無線通信モジュールとの間で信号の送受信を行い、該移動通信端末は、第1の無線通信モジュールを使用してデータ通信を行い、該データ通信に第2の無線通信モジュールをさらに使用し、データ処理能力を増加させることにより、通信速度を増加させる移動通信端末である。
【０００８】
上記の構成により、複数の無線通信モジュールを使用してマルチ通信を実現することで、通信速度を増加させることができる。
【実施例】
【０００９】
本発明は、無線通信モジュールを複数個挿入することにより、音声通信とデータ通信の双方を同時に可能とすると共に、より高速なデータ通信を可能とした移動通信端末に関する。
【００１０】
第1図は、本発明の移動通信端末100の外観を示す図である。移動通信端末100は、本体部分101と蓋部分102とからなる。蓋部分102は、ヒンジ103により開閉可能に本体部分101に取り付けられる。本体部分101は、2つの無線通信モジュールに対応する第1のスロット104と第2のスロット105とを備えており、第1のスロット104に第1の通信モジュールを挿入し、第2のスロット105に第2の通信モジュールを挿入することが可能である。本体部分101は、さらに、スピーカ部106とマイク部107とを備えている。蓋部分102の外部表面には、操作部108が中央に配設され、蓋部分102の外部表面のうち操作部108を除く部分は、表示部109となっている。
【００１１】
第2図は、移動通信端末100の背面図である。移動通信端末100は、背面にカメラ部110、及びスタイラス収容部112を備えている。第3図は、移動通信端末100の正面図である。表示部109の上部には、月、曜日、時刻、が表示され、表示部109の下部には、物理的な操作ボタンに代えて操作ボタンの画像が表示されている。
【００１２】
第4図は、蓋部分102を開いた状態の移動通信端末100を示す図である。蓋部分102の裏面には内側表示部114が配設されており、その裏面に対向する本体部分101の表面は、内側操作部113となっている。内側操作部113は、テンキー(キーボード)を保持し、パソコンのように操作する。
【００１３】
第5図は、第1の通信モジュール120と第2の通信モジュール130とを移動通信端末100に挿入した状態の機能ブロック図である。本発明の移動通信端末100は、通信端末制御部200と、PCMコーデック210と、キーボード220と、ディスプレイ230と、バッテリ240と、スピーカ250と、マイク260と、第1のインターフェイス270と、第2のインターフェイス280とからなる。移動通信端末100は、第1のインターフェイス270を介して第1の通信モジュール120と電気的に接続され、第2のインターフェイス280を介して第2の通信モジュール130と電気的に接続される。
【００１４】
第1の通信モジュール120は、制御部300と、アンテナ310と、アンテナ310での送受信信号の切換えをするアンテナスイッチ320と、送信部330と、受信部340と、変調部350と、復調部360と、多元接続符号化部370と、多元接続復号化部380と、ADPCM(adaptive differential pulse code modulation)トランスコーダ390と、フラッシュメモリ400と、ランダム・アクセス・メモリ(RAM)410と、電源420とからなる。第2の通信モジュールも同様の構成を有しており、制御部500と、アンテナ510と、アンテナ510での送受信信号の切換えをするアンテナスイッチ520と、送信部530と、受信部540と、変調部550と、復調部560と、多元接続符号化部570と、多元接続復号化部580と、ADPCMトランスコーダ590と、フラッシュメモリ600と、RAM610と、電源620とからなる。
【００１５】
第1のインターフェイス270及び第2のインターフェイス280は、それぞれ、18個のピン(信号線)からなる。そのうちの7個のピンは、UART(Universal Asynchronous Receiver Transmitter)シリアルインターフェイスとして、制御用データ及びデータ通信時のデータのやり取りの為に、 送信シリアルデータ(TXD)、 受信シリアルデータ(RXD)、送信データレディ(RTS)、送信レディ(CTS)、受信レディ(DTR)、データキャリア検出(DCD)、リングインジケータ(RI)用に使用される。他の4個のピンは、PCMクロック信号(PCMCLK)、PCM同期信号(PCMSYNC)、PCM入力信号(PCMIN)、及びPCM出力信号(PCMOUT)等の音声用の各信号のやり取りのために使用される。他の1個のピンは、検出信号(INS)を使用して無線通信モジュールの挿入を認識する為に使用される。他の3つのピンは、無線通信モジュールへの電源の供給およびアース用として、電源(Vcc)、グラウンド(GND)の2つの信号用に使用される。残りの3個のピンは、電界強度用の各信号の送受信のために、通信端末本体110のLCD及びLED等の外部表示デバイスに電界強度表示(アンテナ表示)を行う為に使用され、インターフェイス通知用の信号(IF_SEL)は、現状UARTで使用しているピンをUART以外の別のデータ転送方式でも使えるようにした場合に、UARTなのか、別方式なのかの確認のために使用される。
【００１６】
例えば、移動通信端末100の使用者がキーボード220を操作して発呼しようとした場合には、通信端末制御部200は、マイク260を制御し、マイク260は、使用者が発した音声データを取得する。移動通信端末100の使用者がキーボード220を操作して静止画または動画からなる画像データを送信しようとした場合には、通信端末制御部200は、図示しないキャッシュメモリから画像データを取得し、第1のインターフェイス270を介して第1の無線通信モジュール120の制御部300に又は、第2のインターフェイス280を介して第2の無線通信モジュール130の制御部500に、取得した画像データを送出する。一方、取得された音声データは、PCMコーデック210に送られ、パルス符号変調(PCM:Pulse Code Modulation)を施されてサンプリングされ、ディジタル信号に変換される。
【００１７】
パルス符号化変調した音声データが第1のインターフェイス270又は第2のインターフェイス280のPCMCLK、PCMSYNC、PCMIN、及びPCMOUT等の音声用の各信号のやり取りのための4個のピンを介してADPCMトランスコーダ390又は590に送られると、ADPCMトランスコーダ390又は590は、パルス符号化されたデータをADPCM変調された音声データへと変換する。ADPCMは、PCMと同様に波形符号化方式であるが、量子化ビット数を減らすために、過去のサンプリングデータから次のサンプリングデータを予測して、実際のサンプリングデータとの誤差データを送るという処理に基づいている。過去のデータから次のデータを予測して、予測誤差分だけを伝送することで伝送するデータの量を減らす技術は、画像信号の符号化にも使用可能である。
【００１８】
一方、キャッシュメモリから取得した画像データは、図示しないバンドパスフィルタによってフィルタリングされ、通信端末制御部200及び、TXD、RXD、RTS、CTS、DTR、DCD、RI用に使用されるインターフェイス270又は280の7個のピンを介して、無線通信モジュール120の制御部300又は無線通信モジュール130の制御部500に送られる。
【００１９】
制御部300又は500は、JPEG(Joint Photographic Experts Group)技術に従って静止画の画像データを圧縮符号化する。制御部300又は500は、また、MPEG(Moving Image Experts Group)技術に従って動画の画像データを圧縮符号化する。
【００２０】
ADPCMトランスコーダ390又は590の音声データからの誤差データは、多元接続符号化部370又は570に送られる。また、制御部300又は500で圧縮符号化された画像データも、多元接続符号化部370又は570に送られる。
【００２１】
多元接続符号化部370又は570によって符号化されたデータは、変調部350又は550において周知の変調方式によって変調され、送信部330又は530、アンテナスイッチ320又は520及びアンテナ手段310又は510を介して基地局へと無線伝送される。
【００２２】
基地局から送信された無線信号は、アンテナ310又は510で受信され、アンテナスイッチ320又は520を介して受信部340又は540に送られる。受信信号は、受信部340又は540において増幅及びバンドパスフィルタリングされ、復調部360又は560でベースバンド信号に復調された後、復号化部380又は580でADPCM音声信号あるいはデータ信号に復号される。ADPCM音声信号は、ADPCMトランスコーダ390又は590に送られ、PCM音声信号に変換される。PCM音声信号は、第1のインターフェイス270又は第2のインターフェイス280の音声信号用のピンを介して通信端末100のPCMコーデック210に送られ、アナログ信号に変換されてスピーカ250を介して出力される。使用者はこの出力された音声を聞くことができる。一方、復号化部380から制御部300に、又は復号下部580から制御部500に送られた画像等のデータ信号は、第1のインターフェイス270又は第2のインターフェイス280のUART用のピンを介して通信端末100の制御部200に送られ、ユーザの要求に応じてディスプレイ230を介して表示される。
【００２３】
無線通信モジュール110及び無線通信モジュール120と基地局との間の通信は、第3世代(3G)規格に準拠したネットワークを介して行われてもよく、3.5G(いわゆる、beyond3G)規格に準拠したHSDPA(High Speed Downlink Packet Access)ネットワークを介して行われてもよい。
【００２４】
第6図は、移動通信端末100に第1の無線通信モジュール120のみを挿入した場合のフローを示す図である。移動通信端末100の使用者は、移動通信端末100のキーボード220を操作してインターネット等の通信ネットワークへの接続を要求し(ステップ710)、第1の無線通信モジュール120を介して基地局を介してサーバとの間で接続を確立する(ステップ720及び730)。移動通信端末100は、所望のデータをパケットの形態でサーバから受信する(ステップ740)。サーバから受信したデータは、使用者の要求に応じてディスプレイ230に表示される(ステップ750)。このとき、第三者が移動通信端末100に対して一斉呼び出しサービスを使用して発呼すると(ステップステップ760及び770)、第1の無線通信モジュール120は、基地局を介したサーバとの接続を切断し(ステップ780及び790)、移動通信端末100のディスプレイ230に着呼通知を表示する(ステップ790)。移動通信端末100の使用者は、キーボード220を操作して第三者との間で呼接続を確立する(ステップ800及び810)。
【００２５】
第7図は、移動通信端末100に第1の通信モジュール120及び第2の通信モジュール130を挿入し、第1の通信モジュール120をデータ通信に使用し、第2の通信モジュール130を音声通信に使用した場合のフローを示す図である。移動通信端末100の使用者は、移動通信端末100のキーボード220を操作してインターネット等の通信ネットワークへの接続を要求し(ステップ710)、第1の無線通信モジュール110を介して基地局を介してサーバとの間で接続を確立する(ステップ720及び730)。移動通信端末100は、所望のデータをパケットの形態でサーバから受信する(ステップ740)。サーバから受信したデータは、使用者の要求に応じてディスプレイ230に表示される(ステップ750)。このとき、第2の通信モジュール130は、使用されていない。ここで、第三者が第2の無線通信モジュール120に対して一斉呼び出しサービスを使用して発呼すると(ステップ820)、移動通信端末100は、使用されていない第2の無線通信モジュール130を介してその呼を受信し(ステップ830)、第2の無線通信モジュール130は、移動通信端末100に着呼通知を行い(ステップ840)、着呼通知は、通信端末100のディスプレイ230に表示される。移動通信端末100の使用者は、キーボード220を操作して第三者との間で第2の通信モジュール130を介して呼接続を確立する(ステップ850)。このとき、第1の通信モジュール120とサーバとの間の接続は、維持されたままである。
【００２６】
第8図は、移動通信端末100に第1の通信モジュール120及び第2の通信モジュール130を挿入し、第1の通信モジュール120及び第2の通信モジュール130を共にデータ通信に使用した場合のフローを示す図である。移動通信端末100の使用者は、移動通信端末100のキーボード220を操作してインターネット等の通信ネットワークへの接続を要求し(ステップ710)、第1の無線通信モジュール120を介して基地局を介してサーバとの間で接続を確立する(ステップ720及び730)。移動通信端末100は、所望のデータをパケットの形態でサーバからダウンロードし(ステップ740')、サーバと移動通信端末100との間の通信が確立する(ステップ740)。サーバから受信したデータは、使用者の要求に応じてディスプレイ230に表示される(ステップ750)。このとき、第2の通信モジュール130は、使用されていない。ここで、ここのパケットは、ヘッダとデータ部分からなり、データ部分は、伝送されるデータの内容によっては極めて大きいものもある。パケットサイズの大きなデータをダウンロードする際に、第1の通信モジュール120のみを使用している場合には、移動通信端末100自体がフリーズし、処理が滞ることもある。そこで、移動通信端末110は、第2の通信モジュール130に指示を出し(ステップ860)、第1の通信モジュールを介して接続しているサーバとの間で第2の通信モジュール130を介して第2の接続を確立しようと試みる(ステップ870及び880)。移動通信端末100は、第2の通信モジュール130を追加的に使用して該サーバからデータをダウンロードする(ステップ890)。移動通信端末100は、第1の通信モジュール110を介してダウンロードしたデータと、第2の通信モジュール130を介してダウンロードしたデータを、IPデータのマルチリンク化により束ねて一まとまりのデータとする(ステップ900)。この際、ダウンロードするパケットのヘッダには、順序番号が含まれている。第1の通信モジュール120及び第2の通信モジュール130は、ヘッダ部分からそれらの順序番号を識別し、識別した順序番号を移動通信端末100の制御部200に報告し、移動通信端末100の制御部200は、それらの順序番号が重複しないようにそれぞれのパケットを第1の通信モジュール120及び第2の通信モジュール130に割り当てるといったシーケンス制御をしてもよい。これにより、通信モジュールを1つの未使用するときよりも処理速度が増大する。
【００２７】
本発明の移動通信端末によれば、データ通信時に呼を受信した場合には、データ通信を維持した状態で呼接続を確立することが可能である。また、複数の無線通信モジュールを使用してマルチ通信を実現することで、通信速度を増加させることができる。
【図面の簡単な説明】
【００２８】
【図１】本発明の移動通信端末の外観を示す図である。
【図２】移動通信端末の背面図である。
【図３】移動通信端末の正面図である。
【図４】蓋部分を開いた状態の移動通信端末を示す図である。
【図５】第1の通信モジュールと第2の通信モジュールとを移動通信端末に挿入した状態の機能ブロック図である。
【図６】移動通信端末に第1の無線通信モジュールのみを挿入した場合のフローを示す図である。
【図７】移動通信端末に第1の通信モジュール及び第2の通信モジュールを挿入し、第1の通信モジュールをデータ通信に使用し、第2の通信モジュールを音声通信に使用した場合のフローを示す図である。
【図８】移動通信端末に第1の通信モジュール及び第2の通信モジュールを挿入し、第1の通信モジュール及び第2の通信モジュールを共にデータ通信に使用した場合のフローを示す図である。
【図１】
2008263364.tif 000003
【図２】
2008263364.tif 000004
【図３】
2008263364.tif 000005
【図４】
2008263364.tif 000006
【図５】
2008263364.tif 000007
【図６】
2008263364.tif 000008
【図７】
2008263364.tif 000009
【図８】
2008263364.tif 000010